(57)【要約】  密閉型電池は、正極外部端子と、一端が電極体に接続され、他端が電流遮断機構に電気的に接続された正極集電部材と、電池内部において電流遮断機構に電気的に接続され、電池外部において正極外部端子に電気的に接続される導通部材とを備える。電流遮断機構は、外周部が正極集電部材に接続され、内周部が導通部材に接続される薄板状の反転板を備える。反転板は、電池内部の圧力上昇を受けて内周部が導通部材から離間するように変位可能である。正極集電部材には、導通部材から離間変位した反転集電部材の内周部を受け入れる収容凹部が正極集電部材の厚み方向の内部に形成されている。
2019167357.tif 000002
【特許請求の範囲】
【請求項１】
開口部を有するケースと、
前記ケース内に収納される電極体と、
前記ケースの開口部を密閉する蓋部材と、
前記蓋部材の外面に設けられる外部端子と、
一端が前記電極体から延出する電極タブと電気的に接続され、他端が電池内部に設けられた電流遮断機構に電気的に接続された集電部材と、
前記蓋部材を気密状態で貫通して設けられ、電池内部において前記電流遮断機構に電気的に接続され、電池外部において前記外部端子に電気的に接続される導通部材と、を備え、
前記電流遮断機構は、外周部が前記集電部材に接続され、内周部が前記導通部材に接続される薄板状の導電板を備え、前記導電板の内周部が前記集電部材の表面から突出した形状に形成されており、前記導電板は電池内部の圧力上昇を受けて前記内周部が前記導通部材から離間するように変位可能であり、前記集電部材には、前記導通部材から離間変位した前記導電板の内周部を受け入れる収容凹部が前記集電部材の厚み方向の内部に形成されている、
密閉型電池。
【請求項２】
前記収容凹部は、扁平な円柱状空間、又は、扁平な円錐台状空間を含む形状に形成されている、請求項１に記載の密閉型電池。
【請求項３】
前記導通部材は、導電性の筒状部材と、前記筒状部材の内部に配置された導電性の柱状部材とを含み、前記導電板の内周部は薄肉の脆弱部を含む破断板を介して前記柱状部材の一方の端部に連結されている、請求項１または２に記載の密閉型電池。
【請求項４】
前記筒状部材の外周面には前記電池内部と前記電池外部との間を気密状態に封止するガスケットが配置されている、請求項１〜３のいずれか一項に記載の密閉型電池。
【請求項５】
前記電極体から延出する電極タブは前記集電部材の一方端部に接合され、前記集電部材の他方端部に形成された前記収容凹部の周縁部に前記導電板の外周部が接合され、前記導電板の内周部が前記破断板の中央領域に位置する前記脆弱部に接合され、前記破断板において前記脆弱部の外周側に位置する部分が前記柱状部材の一方の端部に接合され、前記柱状部材の他方の端部が電池外部において前記筒状部材に接合されている、
請求項３または４に記載の密閉型電池。
【発明の詳細な説明】
【技術分野】
【０００１】
本開示は、密閉型電池に関する。
【背景技術】
【０００２】
従来、特許文献１には、蓄電装置が開示されている。この蓄電装置は、ケースと、電極組立体と、集電部材と、接続端子と、導電部材と、電流遮断装置とを備えている。電流遮断装置は、隔壁を備えている。電流遮断装置は、連通空間の圧力と隔離空間の圧力との差が設定値未満のときは、集電部材と接続端子との間を電流が流れる状態とし、連通空間と隔離空間の圧力との差が設定値以上となったときに隔壁が変形することによって集電部材と接続端子との間を電流が流れない状態とする。この蓄電装置では、ケースと隔壁の間に、連通空間が形成される一方でケースの内側には隔離空間が形成されている。【０００３】
上記特許文献１の蓄電装置における電流遮断装置では、一端が電極組立体に電気的に接続された集電部材の他端に隔壁が接続されている。集電部材の他端には、薄肉の脆弱部が形成されている。また、隔壁の集電体接続部に対してケース内側に隔離空間が形成されている。隔離空間の下方は隔離部材およびハウジングの下部によって覆われている。ハウジングには電池内部と連通する連通孔が形成されている。このような構成の電流遮断装置を備える蓄電装置では、電池内圧の上昇によって連通空間の圧力が上昇すると、隔壁が隔離空間側に押される。これにより、集電部材の脆弱部が破断して隔壁が隔離空間側に変形移動し、その結果、集電部材と接続端子とが接続解除されて電流が遮断される。特許文献１の蓄電装置によれば、集電部材と接続端子とを接続する電流経路を、隔壁及び隔離空間を回りこむように配置する必要がなく、上記電流経路を短く形成することができるので蓄電装置の電気的損失を小さくできると記載されている。
【先行技術文献】
【特許文献】
【０００４】
【特許文献１】特開２０１３−２２９１５６号公報
【発明の概要】
【０００５】
昨今の高容量化と急速充電のニーズにより、体積効率の良い電池が求められている。この場合、充放電時の電流量が増加しているため、大電流が流れることによる電流経路構成部品の抵抗発熱が、その近傍に配置されている樹脂部品に影響して劣化を加速させることで、気密性や絶縁性に悪影響を与えるおそれがある。
【０００６】
上記特許文献１の蓄電装置の電流遮断装置では、ケースの開口部を封止する蓋部材の下面にハウジングを配置し、このハウジングの内部に集電端子、隔壁、隔離空間および隔離部材が配置または形成され、隔離部材の下面がハウジングによって支持されている。このように蓋部材と電極組立体との間に多数の部材が重なった状態で配置または形成されると、これらの重なり寸法が大きくなる。その結果、電池ケース内のデッドスペースが大きくなり、電池の高容量化には不適である。
【０００７】
本開示の目的は、電流遮断機構の薄型化によるデッドスペースの低減によって高容量化することに適した密閉型電池を提供することである。
【０００８】
本開示に係る密閉型電池は、開口部を有するケースと、ケース内に収納される電極体と、ケースの開口部を密閉する蓋部材と、蓋部材の外面に設けられる外部端子と、一端が前記電極体から延出する電極タブと電気的に接続され、他端が電池内部に設けられた電流遮断機構に電気的に接続された集電部材と、蓋部材を気密状態で貫通して設けられ、電池内部において電流遮断機構に電気的に接続され、電池外部において外部端子に電気的に接続される導通部材と、を備える。電流遮断機構は、外周部が集電部材に接続され、内周部が導通部材に接続される薄板状の導電板を備える。導電板の内周部が集電部材の表面から突出した形状に形成されており、導電板は電池内部の圧力上昇を受けて内周部が導通部材から離間するように変位可能である。集電部材には、導通部材から離間変位した導電板の内周部を受け入れる収容凹部が集電部材の厚み方向の内部に形成されている。
【０００９】
本開示に係る密閉型電池によれば、電流遮断機構を薄型化することができ、ケース内のデッドスペースを低減することができる。その結果、電極体の配置スペースを大きく確保することができ、高容量化に適した電池となる。
【図面の簡単な説明】
【００１０】
【図１】本開示の一実施形態である密閉型電池の縦方向断面図である。
【図２】図１における電流遮断機構の拡大断面図である。
【図３】電流遮断機構において急速充電時に発熱する様子を示す図である。
【図４】電流遮断機構が作動した状態を示す図である。
【図５】密閉型電池の組立てを示す（ａ）斜視図と、（ｂ）Ａ−Ａ線断面図である。
【図６】図５に続いて、密閉型電池の組立てを示す（ａ）斜視図と、（ｂ）断面図である。
【図７】図６に続いて、密閉型電池の組立てを示す（ａ）斜視図と、（ｂ）断面図である。
【図８】図７に続いて、密閉型電池の組立てを示す（ａ）斜視図と、（ｂ）断面図である。
【図９】図８に続いて、密閉型電池の組立てを示す（ａ）斜視図と、（ｂ）断面図である。
【図１０】図９に続いて、密閉型電池の組立てを示す（ａ）斜視図と、（ｂ）断面図である。
【図１１】密閉型電池の電極体の構成を示す斜視図である。
【図１２】図９に続いて、密閉型電池の組立てを示す（ａ）斜視図と、（ｂ）超音波接合を示す斜視図である。
【図１３】図１２に続いて、密閉型電池の組立てを示す（ａ）斜視図と、（ｂ）断面図である。
【図１４】図１３に続いて、密閉型電池の組立てを示す（ａ）斜視図と、（ｂ）断面図である。
【図１５】図１４に続いて、密閉型電池の組立てを示す（ａ）斜視図と、（ｂ）断面図と、（ｃ）電極体および蓋部材の斜視図である。
【図１６】図１５に続いて、密閉型電池の組立てを示す断面図である。
【図１７】集電部材に形成された収容凹部の変形例を示す、図２と同様の断面図である。
【発明を実施するための形態】
【００１１】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
図１は、本開示の一実施形態である密閉型電池１０の縦方向断面図である。図１（図２も同様）において、密閉型電池１０の横方向（または幅方向）が矢印Ｘで示され、密閉型電池１０の長さ方向が矢印Ｙで示され、密閉型電池１０の縦方向（または上下方向、高さ方向）が矢印Ｚで示されている。矢印Ｘ，Ｙ，Ｚで示す各方向は互いに直交する。
【００１３】
図１に示すように、密閉型電池１０は、横長の長方形状を有する角形電池である。また、密閉型電池１０は、長さ方向Ｙの寸法が小さい扁平な角形電池である。さらに、密閉型電池１０は、例えばリチウムイオン電池等の充放電が可能な二次電池である。
【００１４】
図１に示すように、密閉型電池１０は、例えば、アルミニウム合金等の金属からなるケース１２を備える。ケース１２は、底部と側壁部を有し、上部に開口部を有する。ケース１２の開口部は、蓋部材１４によって密閉されている。蓋部材１４は、例えば、アルミニウム合金等からなる金属板で構成されている。蓋部材１４は、例えば、レーザー溶接等によってケース１２の開口縁部に固定される。
【００１５】
ケース１２内には、電極体１６が収納されている。電極体１６は、それぞれシート状をなす正極板と負極板とをセパレータを挟んで多数枚積層して構成される積層側電極体である。正極板、負極板、セパレータの詳細については後述する。電極体１６は、多数枚の正極板、負極板およびセパレータが例えば粘着テープ等の結束部材によって一体にまとめられている。
【００１６】
電極体１６を構成する各正極板は、その上端部から延出する正極タブ（電極タブ）１８をそれぞれ有する。各正極タブ１８は、電極体１６の横方向右側部分の上端部にそれぞれ設けられ、厚み方向Ｙに並んで配置されている。また、電極体１６を構成する各負極板は、その上端部から延出する負極タブ（電極タブ）２０をそれぞれ有する。各負極タブ２０は、電極体１６の横方向左側部分の上端部にそれぞれ設けられ、厚み方向Ｙに並んで配置されている。
【００１７】
なお、本実施形態では電極体１６が積層型電極体である場合について説明するが、これに限定されない。電極体は、セパレータを挟んで正極板および負極板を巻回して構成される巻回型電極体であってもよい。
【００１８】
蓋部材１４の上面には、負極端子部２２ｎおよび正極端子部２２ｐが設けられている。負極端子部２２ｎは、導電性の負極外部端子２４ｎを備える。負極外部端子２４ｎと蓋部材１４との間は、例えば樹脂部材である絶縁部材２６によって絶縁されている。
【００１９】
ケース１２内において電極体１６から延出する負極タブ２０は、負極集電部材２８の一方端部に電気的に接続されている。負極タブ２０は、例えば、超音波接合等によって負極集電部材２８に接合されている。
【００２０】
負極集電部材２８の他方端部には、略円柱状をなす導通部材３０が突設されている。導通部材３０は、例えば、中実の金属製リベットによって好適に構成される。導通部材３０は、例えば、レーザー溶接等によって負極集電部材２８に接合されている。導通部材３０は、蓋部材１４、絶縁部材２６および負極外部端子２４ｎを貫通して上方に延び、上端外周部が負極外部端子２４ｎ上で塑性変形により拡径されている。これにより、導通部材３０が負極外部端子２４ｎにカシメ固定されている。その結果、電極体１６に含まれる各負極板が負極集電部材２８および導通部材３０を介して負極外部端子２４ｎに電気的に接続される。
【００２１】
導通部材３０の外周には例えば、絶縁性の樹脂部材からなるガスケット３２が配置され、導通部材３０と蓋部材１４の貫通孔との間が気密状態に封止されている。また、負極集電部材２８と蓋部材１４の間には絶縁部材３３が配置され、これにより負極集電部材２８と蓋部材１４とが電気的に絶縁されている。
【００２２】
他方、正極端子部２２ｐは、導電性の正極外部端子２４ｐを備える。正極外部端子２４ｐと蓋部材１４との間は例えば樹脂部材である絶縁部材２６によって絶縁されている。この絶縁部材２６は、負極端子部２２ｎと同じものを用いることができる。
【００２３】
ケース１２内において電極体１６から延出する正極タブ１８は、正極集電部材３４の一方端部３４ａに電気的に接続されている。正極タブ１８は、例えば、超音波接合等によって正極集電部材３４に接合されている。
【００２４】
正極集電部材３４は、導電性を有する金属製の部材である。正極集電部材３４の他方端部３４ｂは、電流遮断機構４０を介して導通部材３６に電気的に接続されている。導通部材３６は、詳しくは後述するが、導電性の筒状部材３６ａと、筒状部材３６ａの内部に配置された導電性の柱状部材３６ｂとを含む。導通部材３６は、蓋部材１４、絶縁部材２６および正極外部端子２４ｐを貫通して上方に延び、上端外周部が正極外部端子２４ｐ上で塑性変形により拡径されている。これにより、導通部材３６が正極外部端子２４ｐにカシメ固定されている。その結果、電極体１６に含まれる各正極板は、正極集電部材３４、電流遮断機構４０および導通部材３６を介して正極外部端子２４ｐに電気的に接続される。
【００２５】
導通部材３６の外周には例えば絶縁性の樹脂部材からなるガスケット３８が配置され、導通部材３６と蓋部材１４の貫通孔との間が気密状態に封止されている。
【００２６】
次に、図１に加えて図２も参照して本実施形態の密閉型電池１０における電流遮断機構（ＣＩＤ：Ｃｕｒｒｅｎｔ  Ｉｎｔｅｒｒｕｐｔ  Ｄｅｖｉｃｅ）４０について説明する。図２は、図１における電流遮断機構４０の拡大断面図である。図２では、溶接箇所が破線三角印によって示されている。
【００２７】
図２に示すように、電流遮断機構４０は、反転板４２と刻印板４８とを備える。反転板４２は、金属製の薄板からなる導電板である。反転板４２は、外周縁部が正極集電部材３４の他方端部３４ｂに例えばレーザー溶接等によって固定されている。より詳しくは、反転板４２の外周部４２ａは、正極集電部材３４の他方端部３４ｂの上面に形成された浅い凹部に嵌まり込んだ状態で外周部４２ａが溶接されている。
【００２８】
反転板４２の内周部４２ｂは、円錐台状をなして正極集電部材３４の他方端部３４ｂの上面（表面）から突出している。ここで、正極集電部材３４は、一方端部３４ａと他方端部３４ｂとの間に段差部３４ｃが形成され、この段差部３４ｃに相当する高さ分だけ他方端部３４ｂの上面は一方端部３４ａの上面よりも低くなっている。このように正極集電部材３４の他方端部３４ｂの上面が低くなっていることで、反転板４２の内周部４２ｂが上方に突出していても段差部３４ｃの高さの範囲内に収まっている。反転板４２の内周部４２ｂの先端平坦面は、正極集電部材３４の一方端部３４ａの上面よりも低い位置にある。このように正極集電部材３４に段差部３４ｃを設け、この段差部３４ｃの高さ範囲内に反転板４２の突出した内周部４２ｂを収めることにより、電流遮断機構４０を薄型化することができる。
【００２９】
本実施形態において正極集電部材３４の他方端部３４ｂの上面には、収容凹部３５が形成されている。収容凹部３５は、反転板４２の内周部４２ｂが電池内圧上昇により反転変位したときに内周部４２ｂを収容する機能を有する。収容凹部３５は、正極集電部材３４の他方端部３４ｂにおいて厚み方向の内部に形成されている。また、収容凹部３５は、扁平な円柱状空間を含む形状に形成されている。収容凹部３５内の内部空間は反転板４２の外周部４２ａが全周にわたって溶接されることによって密閉された空間になっている。
【００３０】
正極集電部材３４の他方端部３４ｂの下面は、側面がＬ字状をなす絶縁部材３７によって覆われている。この絶縁部材３７によって、図１に示すように、正極集電部材３４の他方端部３４ｂと、その下方近傍に位置する電極体１６との間での絶縁性が確保されている。
【００３１】
図２に示すように、反転板４２の外周部４２ａ上には、絶縁性のスペーサ部材４４が配置されている。スペーサ部材４４は、中央に円形の開口部４６を有している。スペーサ部材４４は、反転板４２の内周部４２ｂの中間位置まで覆って設けられており、反転板４２の内周部４２ｂの先端平面部は、スペーサ部材４４の開口部４６から上方に突出した位置となっている。
【００３２】
スペーサ部材４４の上面は側壁によって四方が囲まれており、その上面に刻印板（破断板）４８が配置されている。刻印板４８は金属製部材で構成される。刻印板４８は、詳しくは後述するが、熱カシメによってスペーサ部材４４に固定されている。
【００３３】
刻印板４８の上面には、上面視で円形の嵌合凹部５０が形成されている。嵌合凹部５０の底面は薄板状に形成されており、この底面にはＶ字状の溝からなる薄肉の脆弱部５２が上面視で円形状に形成されている。この脆弱部５２の内周側において、刻印板４８の嵌合凹部５０の底面と、反転板４２の内周部４２ｂの先端平面部とが、例えばレーザー溶接等によって接合されている。
【００３４】
刻印板４８は、導通部材３６の下端部に電気的に接続されている。具体的には、導通部材３６は、金属製の筒状部材３６ａと、筒状部材３６ａの内部に挿入配置されている金属製の柱状部材３６ｂとによって構成される。柱状部材３６ｂは下端部にフランジ部３９を有しており、このフランジ部３９が刻印板４８の嵌合凹部に嵌合して配置されている。そして、脆弱部５２に対して外周側に位置する部分である嵌合凹部の縁部と、導通部材３６の一方端部であるフランジ部３９の外周縁部とが、例えばレーザー溶接等によって接合されている。これにより、刻印板４８と導通部材３６の柱状部材３６ｂとが電気的に接続されている。
【００３５】
刻印板４８および正極集電部材３４の一方端部３４ａと蓋部材１４との間には、樹脂部材からなる絶縁部材５３が配置されている。これにより、刻印板４８および正極集電部材３４と蓋部材１４との間が電気的に絶縁されている。
【００３６】
導通部材３６の柱状部材３６ｂは、筒状部材３６ａの内部に挿入配置されている。柱状部材３６ｂは、筒状部材３６ａに対して下方から挿入されて、フランジ部３９が筒状部材３６ａの下端部に当接して位置決めされる。
【００３７】
導通部材３６の筒状部材３６ａは、筒部５４と、筒部５４の下端部に形成された下側フランジ部５６とを有する。そして、筒部５４の下部外周面と下側フランジ部５６の外周面とにまたがって接触配置されたガスケット３８によって、蓋部材１４と導通部材３６の筒状部材３６ａとの間が気密状態に封止されている。
【００３８】
導通部材３６において筒状部材３６ａの内部に挿入配置された柱状部材３６ｂは、上端部外周が筒状部材３６ａの筒部５４の上端内周に例えばレーザー溶接等によって接合される。これにより、導通部材３６において柱状部材３６ｂが筒状部材３６ａに対して確実に電気的に接続される。
【００３９】
導通部材３６の筒状部材３６ａは、上端部が塑性変形されて上側フランジ部が形成され、これにより筒状部材３６ａが正極外部端子２４ｐに固定される。そして、筒状部材３６ａの上側フランジ部の外周部が正極外部端子２４ｐに例えばレーザー溶接等によって接合される。これにより、導通部材３６の筒状部材３６ａが正極外部端子２４ｐに確実に電気的に接続される。
【００４０】
図３は、電流遮断機構４０において急速充電時に発熱する様子を示す図である。図３において、急速充電時に正極端子部２２ｐに流れる電流が一点鎖線で示されている。
【００４１】
図３に示すように、急速充電時には大きな値の電流が各部材間の溶接部分（破線三角印）を通って流れる。各溶接部分は部材間の他の接触部分よりも電気抵抗が小さいためである。具体的には、急速充電時の電流は、正極外部端子２４ｐから、導通部材３６の筒状部材３６ａ、柱状部材３６ｂ、刻印板４８および反転板４２に順に流れ、反転板４２の外周溶接部分から正極集電部材３４に流れて、正極集電部材３４を介して電極体１６に充電される。
【００４２】
このような電流経路において、刻印板４８の脆弱部５２はＶ字状の溝によって薄肉となっていて電気抵抗が大きくなるため、抵抗発熱が大きくなる。図３では脆弱部５２における抵抗発熱が大きくなる様子を多数の小さな矢印で示している。また、反転板４２も薄い金属板で構成されるため電気抵抗が比較的大きくなり、抵抗発熱が大きくなる。このような抵抗発熱がその近傍に配置された樹脂部品に伝わって高温になると劣化が加速して、当該樹脂部材による気密性や絶縁性に悪影響を与えるおそれがある。
【００４３】
本実施形態の密閉型電池１０では、刻印板４８の脆弱部５２が設けられた嵌合凹部５０の底面に接触して導通部材３６の柱状部材３６ｂが配置されている。柱状部材３６ｂは、熱容量が大きく且つ上端部に伝熱して電池外部に効率よく放熱することができる。したがって、急速充電時に、刻印板４８の脆弱部５２およびその近傍で抵抗発熱が生じた場合でも、その熱が樹脂部材であるガスケット３８に伝わって高温になりにくくなる。その結果、ガスケット３８が熱的影響により劣化が加速して気密性や絶縁性が低下するのを抑制することができる。
【００４４】
このような抵抗発熱は、高負荷使用時に大電流が密閉型電池１０から放電されるときにも生じるため、高負荷使用時のガスケット３８への伝熱抑制対策としても有効である。
【００４５】
また、本実施形態の密閉型電池１０では、導通部材３６の外周を封止するガスケット３８が、刻印板４８および反転板４２の発熱によって高温になり易い柱状部材３６ｂから筒状部材３６ａを隔てて配置されている。さらに、柱状部材３６ｂの外周面は筒状部材３６ａの内周面に接触して配置されているが、両者の間には僅かな隙間が存在する。このように柱状部材３６ｂとガスケット３８との間に筒状部材３６ａが介在し且つ上記のような僅かな隙間が存在することで、柱状部材３６ｂからガスケット３８に伝熱しにくくなる。その結果、ガスケット３８が熱的影響を受けにくくなり、劣化が加速して気密性や絶縁性が低下するのを抑制することができる。
【００４６】
図４は、電流遮断機構４０が作動した状態を示す図である。内部短絡等の原因によって電池内圧が所定の設定値以上に上昇すると、電池内部に設けられている電流遮断機構４０において反転板４２の内周部４２ｂの傾斜した上面が受圧によって下方に押される。これにより、図４に示すように、刻印板４８の嵌合凹部５０の脆弱部５２が破断して、反転板４２の内周部４２ｂが下方に凸状となるように反転変位する。すなわち、反転板４２が刻印板４８および導通部材３６から離間する。このとき反転板４２の内周部４２ｂは下方へ凸状に塑性変形して収容凹部３５内に収容される。その結果、正極端子部２２ｐにおける電流経路が刻印板４８と反転板４２との間で絶たれることで電流が遮断される。
【００４７】
このように作動する電流遮断機構４０は、電池内圧上昇時に反転変形する反転板４２の内周部４２ｂを収容する収容凹部３５を、正極集電部材３４の他方端部３４ｂの厚み方向の内部に形成したことで、反転板４２の下方に反転空間を設けた場合であっても電流遮断機構４０の縦方向寸法を小さくすることができる。したがって、ケース１２内において蓋部材１４と電極体１６との間に形成されるデッドスペースを小さくでき、高容量化に適した電池とすることができる。
【００４８】
次に、図５〜図１６を参照して、本実施形態の密閉型電池１０の製造工程について説明する。
【００４９】
まず図５（ａ），（ｂ）に示すようにして、蓋部材１４に対する正極外部端子２４ｐを組み付ける。より詳しくは、蓋部材１４の貫通孔にガスケット３８を下方から挿入配置し、ガスケット３８の内部に導通部材３６の筒状部材３６ａの筒部を下方から挿入する。そして、蓋部材１４の上面に突出した筒状部材３６ａの筒部上端に絶縁部材２６および正極外部端子２４ｐを嵌め込んで配置し、この状態で筒状部材３６ａの筒部上端をカシメ固定する。
【００５０】
続いて、図６〜図１０に示すようにして、正極集電部材３４に対する反転板４２などを組み付ける。まず、図６（ａ），（ｂ）に示すように、正極集電部材３４を準備する。正極集電部材の他方端部３４ｂの４つの角部には、厚み方向に貫通する貫通孔６０がそれぞれ形成されている。
【００５１】
続いて、図７（ａ），（ｂ）に示すように、正極集電部材３４の他方端部３４ｂの上面に反転板４２を組み付け、反転板４２の外周部４２ａを例えばレーザー溶接によって固定する。図７（図１０等でも同様）には、反転板４２を溶接するレーザーＲが白抜き三角形で示されている。
【００５２】
続いて、図８（ａ），（ｂ）に示すように、正極集電部材３４の他方端部３４ｂの下面に絶縁部材３７を組み付ける。熱可塑性樹脂からなる絶縁部材３７には、４つのピン部６２が突設されており、これらのピン部６２を正極集電部材３４の他方端部３４ｂに形成されている４つの貫通孔６０に挿通した状態で組み付ける。
【００５３】
続いて、図９（ａ），（ｂ）に示すように、正極集電部材３４の他方端部３４ｂの上面にスペーサ部材４４を組み付ける。スペーサ部材４４の４つの角部にも貫通孔が形成されており、これらの貫通孔に絶縁部材３７のピン部６２を挿通した状態で組み付ける。このとき、ピン部６２の先端部はスペーサ部材４４の上面から突出した状態になっている。
【００５４】
続いて、図１０（ａ），（ｂ）に示すように、スペーサ部材４４の上に刻印板４８を組み付ける。刻印板４８の４つの角部にも貫通孔が形成されており、これらの貫通孔に絶縁部材３７のピン部６２を挿通した状態で組み付ける。このとき、ピン部６２の先端部は刻印板４８の上面から突出した状態になっている。
【００５５】
この状態で、ピン部６２の先端部を加熱押圧して押しつぶす。これにより、正極集電部材３４の他方端部３４ｂに対して、絶縁部材３７、スペーサ部材４４および刻印板４８が熱カシメによって一体に固定される。また、刻印板４８の脆弱部５２の内周部をレーザー溶接によって円形状に接合する。これにより、刻印板４８と反転板４２とが電気的に接続される。
【００５６】
図１１は、密閉型電池１０の電極体１６の構成を示す斜視図である。電極体１６は、それぞれシート状をなす正極板１７ａと負極板１７ｂとをセパレータ１７ｃを挟んで多数枚積層して構成される。正極板１７ａの上端縁部から矩形状をなす正極タブ１８が延出し、負極板１７ｂの上端縁部から矩形状をなす負極タブ２０が正極タブ１８と横方向にずれた位置で延出している。
【００５７】
ここで、密閉型電池１０がリチウムイオン電池である場合の正極板１７ａ、負極板１７ｂ、および、セパレータ１７ｃについて説明する。正極板１７ａは、箔状の正極芯体の両側表面に正極活物質含有層を形成して構成される。正極芯体は、例えば、アルミニウム又はアルミニウム合金箔からなる。正極タブ１８は、正極活物質含有層が形成されていない正極芯体自体によって形成されている。
【００５８】
正極活物質含有層は、例えば、正極活物質として、リチウムニッケル酸化物を用い、導電剤として、アセチレンブラック（ＡＢ）を用い、結着剤として、ポリフッ化ビニリデン（ＰＶＤＦ）を用い、分散媒として、Ｎ−メチル−２−ピロリドンを用いることで作製できる。正極活物質について更に詳細に説明すると、正極活物質としては、リチウムイオンを可逆的に吸蔵・放出することが可能な化合物であれば適宜選択して使用できる。これらの正極活物質としては、リチウム遷移金属複合酸化物が好ましい。例えば、リチウムイオンを可逆的に吸蔵・放出することが可能なＬｉＭＯ2（但し、ＭはＣｏ、Ｎｉ、Ｍｎの少なくとも１種である）で表されるリチウム遷移金属複合酸化物、すなわち、ＬｉＣｏＯ2、ＬｉＮｉＯ2、ＬｉＮｉyＣｏ1-yＯ2（ｙ＝０．０１〜０．９９）、ＬｉＭｎＯ2、ＬｉＣｏxＭｎyＮｉzＯ2（ｘ＋ｙ＋ｚ＝１）や、ＬｉＭｎ2Ｏ4又はＬｉＦｅＰＯ4などを一種単独もしくは複数種を混合して用いることができる。さらには、リチウムコバルト複合酸化物にジルコニウムやマグネシウム、アルミニウム、タングステンなどの異種金属元素を添加したものも使用し得る。しかし、正極活物質含有層は、それら以外の公知の如何なる材料で作製されてもよい。
【００５９】
正極板１７ａは、例えば、次のように作製される。正極活物質に導電剤や結着剤等を混合し、その混合物を分散媒中で混練することによってペースト状の正極活物質スラリーを作製する。その後、正極活物質スラリーを正極芯体上に塗布する。続いて、正極芯体に塗布された正極活物質スラリーを乾燥、及び圧縮して、正極活物質含有層を形成する。そして、正極芯体および正極活物質含有層を例えばレーザー溶断等によって切断することで、正極タブ１８を有する正極板１７ａが形成される。
【００６０】
負極板１７ｂは、箔状の負極芯体の両側表面に負極活物質含有層を形成して構成される。負極芯体は、例えば、銅又は銅合金箔からなる。負極タブ２０は、負極活物質含有層が形成されていない負極芯体自体によって形成されている。
【００６１】
負極活物質含有層の負極活物質は、リチウムを可逆的に吸蔵・放出できるものであれば特に限定されず、例えば、炭素材料や、珪素材料、リチウム金属、リチウムと合金化する金属或いは合金材料や、金属酸化物などを用いることができる。なお、材料コストの観点からは、負極活物質に炭素材料を用いることが好ましく、例えば、天然黒鉛、人造黒鉛、メソフェーズピッチ系炭素繊維（ＭＣＦ）、メソカーボンマイクロビーズ（ＭＣＭＢ）、コークス、ハードカーボンなどを用いることができる。特に、高率充放電特性を向上させる観点からは、負極活物質として、黒鉛材料を低結晶性炭素で被覆した炭素材料を用いることが好ましい。
【００６２】
また、負極活物質含有層は、結着剤として、スチレンーブタジエン共重合体ゴム粒子分散体（ＳＢＲ）を用い、増粘剤として、カルボキシメチルセルロース（ＣＭＣ）を用い、分散媒として、水を用いて、作製されると好ましい。負極活物質含有層は、例えば、次のように作製される。負極活物質に導電剤や結着剤等を混合し、その混合物を分散媒中で混練することによってペースト状の負極活物質スラリーを作製する。その後、負極活物質スラリーを負極芯体上に塗布する。続いて、負極芯体に塗布された負極活物質スラリーを乾燥、及び圧縮すると、負極活物質含有層が形成される。そして、負極芯体および負極活物質含有層を例えばレーザー溶断等によって切断することで、負極タブ２０を有する負極板１７ｂが形成される。
【００６３】
セパレータ１７ｃとしては、非水電解質二次電池において一般に使用されている公知のものを用いることができる。例えば、ポリオレフィンからなるセパレータが好ましい。具体的には、ポリエチレンからなるセパレータのみならず、ポリエチレンの表面にポリプロピレンからなる層が形成されたものや、ポリエチレンのセパレータの表面にアラミド系の樹脂が塗布されたものを用いても良い。
【００６４】
正極板１７ａとセパレータ１７ｃとの界面ないし負極板１７ｂとセパレータ１７ｃとの界面には、無機物のフィラー層を形成してもよい。このフィラーとしては、チタン、アルミニウム、ケイ素、マグネシウム等を単独もしくは複数用いた酸化物やリン酸化合物、またその表面が水酸化物などで処理されているものを用いることができる。また、このフィラー層は、正極板１７ａ、負極板１７ｂ、又はセパレータ１７ｃに、フィラー含有スラリーを直接塗布して形成してもよく、フィラーで形成したシートを、正極板１７ａ、負極板１７ｂ、又はセパレータ１７ｃに貼り付けることで形成してもよい。
【００６５】
図１２は、図９に続いて、密閉型電池１０の組立てを示す（ａ）斜視図と、（ｂ）超音波接合を示す斜視図である。図１２（ａ）に示すように、電極体１６の正極タブ１８に正極集電部材３４を接合するとともに、負極タブ２０に負極集電部材２８を接合する。
【００６６】
ここで、正極集電部材３４には、図６〜図１０を参照して説明したように、他方端部３４ｂに、反転板４２、絶縁部材３７、スペーサ部材４４および刻印板４８が一体に固定され、かつ、刻印板４８と反転板４２とが電気的に接続されたものが用いられる。このように反転板４２等が他方端部３４ｂに組み付けられた正極集電部材３４の一方端部３４ａを電極体１６から延出する多数の正極タブ１８と重ね合わせて、超音波ホーンおよびアンビルで挟み込んで超音波接合する。これにより、各正極タブ１８と正極集電部材３４とが電気的に接続される。
【００６７】
正極タブ１８と正極集電部材３４の接合工法としては、抵抗溶接では溶接棒に正極芯体であるアルミニウムが付着してしまって不適であり、レーザー溶接では正極タブ１８を構成するアルミ箔の箔切れや箔細りなどが生じるため、多数枚の正極タブ１８を重ねた状態で正極集電部材３４に接合するのは不適である。したがって、正極タブ１８と正極集電部材３４の接合工法としては超音波接合が好適である。
【００６８】
ただし、超音波接合において、正極タブ１８と正極集電部材３４に加えて、蓋部材１４や電流遮断機構４０の構成部材（例えば、反転板４２等）などが重なった状態では超音波ホーンとアンビルとによって挟み込めない。しかし、本実施形態の密閉型電池１０では、超音波ホーンとアンビルとの間に正極タブ１８および正極集電部材３４だけを挟みこんで超音波接合することができ、多数枚の正極タブを正極集電部材３４に確実に接合することができる。
【００６９】
また、図１２（ａ）に示すように、電極体１６から延出する負極タブ２０に負極集電部材２８を接合する場合にも、同様の理由から、超音波接合が好適に用いられる。ここで負極タブ２０に接合される負極集電部材２８には、導通部材３０（図１参照）を事前に取り付けてもよいし、あるいは、負極タブ２０に接合された後に導通部材３０を負極集電部材２８に取り付けてもよい。
【００７０】
続いて、図１３（ａ），（ｂ）に示すように、正極集電部材３４に固定された刻印板４８に柱状部材３６ｂの下端部を例えばレーザー溶接等によって接合する。
【００７１】
続いて、図１４（ａ），（ｂ）に示すように、絶縁部材５３を正極集電部材３４に組み付ける。絶縁部材５３の裏面には、矩形枠状の凸部が形成されており、この凸部がスペーサ部材４４の矩形枠状の側壁の内側に嵌り込むことによって、絶縁部材５３がスペーサ部材４４を介して正極集電部材３４に対して位置決めされる。また、図示していないが、負極集電部材２８には絶縁部材３３が組み付けられる。
【００７２】
続いて、図１５（ａ），（ｂ）に示すように、図５を参照して説明した蓋部材１４を、電極体１６に取り付けられた正極集電部材３４に組み付ける。具体的には、正極集電部材３４に取り付けられた柱状部材３６ｂを蓋部材１４に取り付けられた筒状部材３６ａに挿入し、柱状部材３６ｂの上端部外周と筒状部材３６ａの上端部内周とを例えばレーザー溶接等によって接合する。これにより、柱状部材３６ｂと筒状部材３６ａとが固定されると共に電気的に接続される。また、負極集電部材２８については、負極集電部材２８に予め固定されている導通部材３０を蓋部材１４、絶縁部材２６および負極外部端子２４ｎを貫通させた状態に配置する。これにより、図１５（ｃ）に示すように、電極体１６に接続されている正極集電部材３４および負極集電部材２８に蓋部材１４が組み付けられる。
【００７３】
続いて、図１６に示すように、導通部材３６の筒状部材３６ａの上端部外周と正極外部端子２４ｐとを例えばレーザー溶接等によって接合する。これにより、電極体１６の正極タブ１８から、正極集電部材３４、反転板４２、刻印板４８、柱状部材３６ｂおよび筒状部材３６ａを経由して、正極外部端子２４ｐに至る正極端子部２２ｐの電流経路が形成される。
【００７４】
また、負極端子部２２ｎについては、まず、導通部材３０の上端部をカシメ固定し、次いで、カシメられた上端部の外周を例えばレーザー溶接等によって負極外部端子２４ｎに接合する。これにより、電極体１６の負極タブ２０から、負極集電部材２８および導通部材３０を経由して、負極外部端子２４ｎに至る負極端子部２２ｎの電流経路が形成される。
【００７５】
このように蓋部材１４が連結された電極体１６をケース１２（図１参照）に上方から収容し、蓋部材１４によってケース１２の開口部を閉じる。そして、蓋部材１４の外周全体を例えばレーザー溶接等によって気密状態に接合する。これにより、密閉型電池１０の組立てが完了する。
【００７６】
最後に、蓋部材１４の注液口１５（図１参照）から非水電解質溶液を注入してから、注液口１５を密封する。これにより、密閉型電池１０の製造が完了する。
【００７７】
非水電解質の溶媒としては、特に限定されるものではなく、非水電解質二次電池に従来から用いられてきた溶媒を使用することができる。例えば、エチレンカーボネート（ＥＣ）、プロピレンカーボネート（ＰＣ）、ブチレンカーボネート、ビニレンカーボネート（ＶＣ）などの環状カーボネート；ジメチルカーボネート（ＤＭＣ）、メチルエチルカーボネート（ＭＥＣ）、ジエチルカーボネート（ＤＥＣ）などの鎖状カーボネート；酢酸メチル、酢酸エチル、酢酸プロピル、プロピオン酸メチル、プロピオン酸エチル、γ−ブチロラクトンなどのエステルを含む化合物；プロパンスルトンなどのスルホン基を含む化合物；１，２−ジメトキシエタン、１，２−ジエトキシエタン、テトラヒドロフラン、１，２−ジオキサン、１，４−ジオキサン、２−メチルテトラヒドロフランなどのエーテルを含む化合物；ブチロニトリル、バレロニトリル、ｎ−ヘプタンニトリル、スクシノニトリル、グルタルニトリル、アジポニトリル、ピメロニトリル、１，２，３−プロパントリカルボニトリル、１，３，５−ペンタントリカルボニトリルなどのニトリルを含む化合物；ジメチルホルムアミドなどのアミドを含む化合物などを用いることができる。特に、これらのＨの一部がＦにより置換されている溶媒が好ましく用いられる。また、これらを単独又は複数組み合わせて使用することができ、特に環状カーボネートと鎖状カーボネートとを組み合わせた溶媒や、さらにこれらに少量のニトリルを含む化合物やエーテルを含む化合物が組み合わされた溶媒が好ましい。
【００７８】
また、非水電解質の非水系溶媒としてイオン性液体を用いることもでき、この場合、カチオン種、アニオン種については特に限定されるものではないが、低粘度、電気化学的安定性、疎水性の観点から、カチオンとしては、ピリジニウムカチオン、イミダゾリウムカチオン、４級アンモニウムカチオンを、アニオンとしては、フッ素含有イミド系アニオンを用いた組合せが特に好ましい。
【００７９】
さらに、非水電解質に用いる溶質としても、従来から非水電解質二次電池において一般に使用されている公知のリチウム塩を用いることができる。そして、このようなリチウム塩としては、Ｐ、Ｂ、Ｆ、Ｏ、Ｓ、Ｎ、Ｃｌの中の一種類以上の元素を含むリチウム塩を用いることができ、具体的には、ＬｉＰＦ6、ＬｉＢＦ4、ＬｉＣＦ3ＳＯ3、ＬｉＮ（ＦＳＯ2）2、ＬｉＮ（ＣＦ3ＳＯ2）2、ＬｉＮ（Ｃ2Ｆ5ＳＯ2）2、ＬｉＮ（ＣＦ3ＳＯ2）（Ｃ4Ｆ9ＳＯ2）、ＬｉＣ（Ｃ2Ｆ5ＳＯ2）3、ＬｉＡｓＦ6、ＬｉＣｌＯ4、ＬｉＰＦ2Ｏ2などのリチウム塩及びこれらの混合物を用いることができる。特に、非水電解質二次電池における高率充放電特性や耐久性を高めるためには、ＬｉＰＦ6を用いることが好ましい。
【００８０】
また、溶質としては、オキサラト錯体をアニオンとするリチウム塩を用いることもできる。このオキサラト錯体をアニオンとするリチウム塩としては、ＬｉＢＯＢ（リチウム−ビスオキサレートボレート）の他、中心原子にＣ2Ｏ42-が配位したアニオンを有するリチウム塩、例えば、Ｌｉ［Ｍ（Ｃ2Ｏ4）xＲy］（式中、Ｍは遷移金属、周期律表の１３族，１４族，１５族から選択される元素、Ｒはハロゲン、アルキル基、ハロゲン置換アルキル基から選択される基、ｘは正の整数、ｙは０又は正の整数である。）で表わされるものを用いることができる。具体的には、Ｌｉ［Ｂ（Ｃ2Ｏ4）Ｆ2］、Ｌｉ［Ｐ（Ｃ2Ｏ4）Ｆ4］、Ｌｉ［Ｐ（Ｃ2Ｏ4）2Ｆ2］などがある。ただし、高温環境下においても負極の表面に安定な被膜を形成するためには、ＬｉＢＯＢを用いることが最も好ましい。
【００８１】
なお、上記溶質は、単独で用いるのみならず、２種以上を混合して用いても良い。また、溶質の濃度は特に限定されないが、非水電解液１リットル当り０．８〜１．７モルであることが望ましい。更に、大電電流での放電を必要とする用途では、上記溶質の濃度が非水電解液１リットル当たり１．０〜１．６モルであることが望ましい。
【００８２】
上記したように本実施形態の密閉型電池１０では、電極体１６から延出する正極タブ１８は正極集電部材３４の一方端部３４ａに接合され、正極集電部材３４の他方端部３４ｂに形成された収容凹部３５の周縁部に反転板４２の外周部が接合される。また、反転板４２の内周部が刻印板４８の中央領域に位置する脆弱部５２に接合され、反転板４２において脆弱部５２の外周側に位置する部分が柱状部材３６ｂの下端部に接合され、柱状部材３６ｂの上端部が電池外部において筒状部材３６ａに接合されている。このように構成したことで、正極タブ１８および正極集電部材３４だけを超音波ホーンおよびアンビル間に挟み込んで超音波接合することができ、他の抵抗溶接やレーザー溶接に比べて良好に接合することができる。
【００８３】
なお、本開示は、上述した実施形態およびその変形例に限定されるものではなく、本願の特許請求の範囲に記載された事項の範囲内において種々の変更や改良が可能である。
【００８４】
例えば、上記においては、正極集電部材３４の他方端部において厚み方向の内部に形成される収容凹部３５が扁平な円柱状空間を含む形状に形成される場合について説明したが、これに限定されるものではない。例えば、図１７に示すように、収容凹部３５ａは、扁平が円錐台状空間を含む形状に形成されてもよい。このように収容凹部３５が平坦な底面と傾斜した側壁面とを有する形状に形成することで、収容凹部３５ａの底部の剛性が高くなる。したがって、扁平な円柱状空間を含む形状とした場合より底部の厚みを薄くしても、下方から上方に作用する電池内圧に対して撓みにくくなる。その結果、反転変形した反転板４２を収容した状態に維持するのに十分な深さの空間を確保することできる。
【００８５】
また、上記の密閉型電池１０においては電流遮断機構４０を正極端子部２２ｐに設けた例について説明したが、これに限定されるものではなく、電流遮断機構を負極端子部２２ｎに設けてもよい。
【符号の説明】
【００８６】
１０  密閉型電池
１２  ケース
１４  蓋部材
１５  注液口
１６  電極体
１７ａ  正極板
１７ｂ  負極板
１７ｃ  セパレータ
１８  正極タブ（電極タブ）
２０  負極タブ（電極タブ）
２２ｎ  負極端子部
２２ｐ  正極端子部
２４ｎ  負極外部端子
２４ｐ  正極外部端子
２６，３３，３７，５３  絶縁部材
２８  負極集電部材
３０，３６  導通部材
３２，３８  ガスケット
３４  正極集電部材
３４ａ  一方端部
３４ｂ  他方端部
３４ｃ  段差部
３５，３５ａ  収容凹部
３６ａ  筒状部材
３６ｂ  柱状部材
３９  フランジ部
４０  電流遮断機構
４２  反転板（導電板）
４２ａ  外周部
４２ｂ  内周部
４４  スペーサ部材
４６  開口部
４８  刻印板（破断板）
５０  嵌合凹部
５２  脆弱部
５４  筒部
５６  下側フランジ部
６０  貫通孔
６２  ピン部
Ｒ  レーザー
【図１】
2019167357.tif 000003
【図２】
2019167357.tif 000004
【図３】
2019167357.tif 000005
【図４】
2019167357.tif 000006
【図５】
2019167357.tif 000007
【図６】
2019167357.tif 000008
【図７】
2019167357.tif 000009
【図８】
2019167357.tif 000010
【図９】
2019167357.tif 000011
【図１０】
2019167357.tif 000012
【図１１】
2019167357.tif 000013
【図１２】
2019167357.tif 000014
【図１３】
2019167357.tif 000015
【図１４】
2019167357.tif 000016
【図１５】
2019167357.tif 000017
【図１６】
2019167357.tif 000018
【図１７】
2019167357.tif 000019
【国際調査報告】
2019167357.tif 000020
2019167357.tif 000021
2019167357.tif 000022
2019167357.tif 000023